(57)【要約】【課題】商用電源を使用して電気掃除機を動作させる場合、及び、蓄電池を使用して電気掃除機を動作させる場合の何れの場合であっても、掃除機本体の重さを軽量化できるとともに、電気掃除機の電源を容易に切り替えることができ、使い勝手のよい電気掃除機の提供。【解決手段】電動送風機と、蓄電池と、電動送風機の入力を制御する制御回路と、を有する掃除機本体と、掃除機本体とは別体に設けられた充電台と、を備え、充電台には、商用電源に接続される電源コードと、掃除機本体に接続され、電源コードによって導かれた商用電源を掃除機本体に供給する接続コードと、を有するコードリールユニットが内蔵されており、接続コードが掃除機本体に接続された場合には、電動送風機及び制御回路に商用電源が供給されるとともに、接続コードが掃除機本体に接続されていない場合には、電動送風機及び制御回路に蓄電池の直流電源が供給される電気掃除機。【選択図】図４
2012090828.tif 000002
【特許請求の範囲】
【請求項１】
吸引風を発生させる電動送風機と、前記吸引風によって吸引された塵埃を捕集する集塵部と、を有する掃除機本体と、前記掃除機本体内に配置された蓄電池と、前記掃除機本体内に配置されており、前記電動送風機の入力を制御する制御回路と、前記掃除機本体とは別体に設けられており、前記蓄電池を充電する充電回路を内蔵する充電台と、を備え、前記充電台には、商用電源に接続される電源コードと、前記掃除機本体に接続され、前記電源コードによって導かれた前記商用電源を前記掃除機本体に供給する接続コードと、を有するコードリールユニットが内蔵されており、前記接続コードが前記掃除機本体に接続された場合には、前記電動送風機及び前記制御回路に前記商用電源が供給されるとともに、前記接続コードが前記掃除機本体に接続されていない場合には、前記電動送風機及び前記制御回路に前記蓄電池の直流電源が供給される電気掃除機。
【請求項２】
前記掃除機本体には、前記蓄電池と電気的に接続される充電入力端子が設けられており、前記充電台には、前記充電回路と電気的に接続される充電出力端子が設けられており、前記蓄電池は、前記充電入力端子と前記充電出力端子とが接続されることで充電されるように構成されており、前記充電台には、前記充電入力端子と前記充電出力端子とが接続された場合には、前記電源コードによって導かれた前記商用電源を前記充電回路に供給するとともに、前記掃除機本体と前記接続コードとが接続された場合には、前記電源コードによって導かれた前記商用電源を前記接続コードに供給する切替回路が内蔵されている請求項１に記載の電気掃除機。
【請求項３】
前記コードリールユニットは、前記充電台に着脱自在に配置されている請求項１または２に記載の電気掃除機。
【請求項４】
前記充電台には、持ち運び用の把手部が設けられている請求項１〜３のうちの何れか１項に記載の電気掃除機。
【請求項５】
前記充電台の底面には、移動用のキャスターが設けられている請求項１〜４のうちの何れか１項に記載の電気掃除機。
【請求項６】
前記充電台の底面には、前記充電台を被清掃面に固定する吸盤が設けられている請求項１〜５のうちの何れか１項に記載の電気掃除機。
【発明の詳細な説明】
【技術分野】
【０００１】
本発明は、電気掃除機に関し、特に、交流電源及び直流電源の両方で使用可能な電気掃除機に関する。
【背景技術】
【０００２】
従来、交流電源及び直流電源の両方で使用可能な電気掃除機においては、塵埃を捕集する集塵部と、吸引風を発生させる電動送風機と、電動送風機を制御する制御部と、電動送風機及び制御部に電源を供給する二次電池と、を有する掃除機本体と、商用電源に接続する電源コードを巻き取るコードリールを有したコードリールユニットと、を備え、掃除機本体とコードリールユニットとを着脱自在に構成し、掃除機本体にコードリールユニットが接続されている際には、商用電源を使用して電気掃除機を動作させるとともに、掃除機本体からコードリールユニットが取り外された際に、電気掃除機の電源を電源コードを介して接続された商用電源から二次電池へ切り換える構成が提案されている（例えば、特許文献１参照）。
【０００３】
また、従来、交流電源及び直流電源の両方で使用可能な電気掃除機においては、吸引風を発生させる電動送風機と、コードレス使用時に電動送風機に電源を供給する充電電池と、ゴミを溜める集塵フィルターと、を内蔵する掃除機本体と、電動送風機と充電電池とに電源を供給する直流電源回路と、コードリール式の電源コードと、を内蔵する電源部と、を備え、掃除機本体と電源部とを着脱自在に構成し、充電電池を使用して掃除機本体を動作させる場合には、掃除機本体から電源部を取り外して使用するとともに、家庭用電源（商用電源）を使用して掃除機本体を動作させる場合には、掃除機本体に電源部を装着して使用する構成が提案されている（例えば、特許文献２参照）。
【先行技術文献】
【特許文献】
【０００４】
【特許文献１】特開平８−２２４１９８号公報
【特許文献２】特開平５−１９２２７０号公報
【発明の概要】
【発明が解決しようとする課題】
【０００５】
しかしながら、上記従来の電気掃除機においては、電気掃除機の使い勝手を向上させるという観点からは未だ改善の余地があった。
【０００６】
すなわち、上記特許文献１及び特許文献２に記載の従来の電気掃除機においては、商用電源を使用して電気掃除機を動作させる際には、コードリールユニットまたは電源部を掃除機本体に装着した状態で電源コードを商用電源に接続して使用する必要があるため、掃除機本体の重さがコードリールユニットまたは電源部の重さの分だけ増加してしまう。そのため、使用者が掃除機本体を移動させながら掃除を行う場合、掃除機本体の重さが重く、使い勝手が悪いものであった。
【０００７】
また、上記特許文献１及び特許文献２に記載の従来の電気掃除機においては、電気掃除機の電源を商用電源から二次電池または充電電池へ切り換える際には、掃除機本体からコードリールユニットまたは電源部を取り外す必要あるがとともに、電気掃除機の電源を二次電池または充電電池から商用電源へ切り換える際には、掃除機本体にコードリールユニットまたは電源部を取り付ける必要がある。そのため、電気掃除機の電源の切り替えに手間がかかり、電気掃除機の使い勝手が悪いものであった。
【０００８】
本発明は、上記従来技術の有する課題に鑑みてなされたものであり、商用電源を使用して電気掃除機を動作させる場合、及び、蓄電池を使用して電気掃除機を動作させる場合の何れの場合であっても掃除機本体の重さを軽量化できるとともに、電気掃除機の電源を容易に切り替えることができ、使い勝手のよい電気掃除機を提供することを目的とする。
【課題を解決するための手段】
【０００９】
上記従来技術の有する課題を解決するために、本発明は、吸引風を発生させる電動送風機と、吸引風によって吸引された塵埃を捕集する集塵部と、を有する掃除機本体と、掃除機本体内に配置された蓄電池と、掃除機本体内に配置されており、電動送風機の入力を制御する制御回路と、掃除機本体とは別体に設けられており、蓄電池を充電する充電回路を内蔵する充電台と、を備え、充電台には、商用電源に接続される電源コードと、掃除機本体に接続され、電源コードによって導かれた商用電源を掃除機本体に供給する接続コードと、を有するコードリールユニットが内蔵されており、接続コードが掃除機本体に接続された場合には、電動送風機及び制御回路に商用電源が供給されるとともに、接続コードが掃除機本体に接続されていない場合には、電動送風機及び制御回路に蓄電池の直流電源が供給される電気掃除機を提供する。
【００１０】
上述のように、本発明の電気掃除機においては、コードリールユニットを充電台に内蔵しているため、商用電源を使用して電気掃除機を動作させる場合、及び、蓄電池を使用して電気掃除機を動作させる場合の何れの場合であっても、掃除機本体の重さを軽量化することができ、電気掃除機の使い勝手を向上させることができる。
【００１１】
また、上述のように、本発明の電気掃除機においては、接続コードが掃除機本体に接続された場合には、電動送風機及び制御回路に商用電源が供給されるとともに、接続コードが掃除機本体に接続されていない場合には、電動送風機及び制御回路に蓄電池の直流電源が供給されるように構成しているため、接続コードの着脱により電気掃除機の電源を容易に切り替えることができ、電気掃除機の使い勝手を向上させることができる。
【発明の効果】
【００１２】
本発明の電気掃除機によれば、商用電源を使用して電気掃除機を動作させる場合、及び、蓄電池を使用して電気掃除機を動作させる場合の何れの場合であっても掃除機本体の重さを軽量化できるとともに、電気掃除機の電源を容易に切り替えることができ、電気掃除機の使い勝手を向上させることができるようになる。
【図面の簡単な説明】
【００１３】
【図１】本発明の電気掃除機の実施の形態１を示す全体斜視図
【図２】本発明の電気掃除機の実施の形態１における掃除機本体の断面図
【図３】本発明の電気掃除機の実施の形態１における掃除機本体の後部部分断面図
【図４】本発明の電気掃除機の実施の形態１における充電台の全体斜視図
【図５】本発明の電気掃除機の実施の形態１における充電台の縦断面図
【図６】本発明の電気掃除機の実施の形態２における充電台の全体斜視図
【図７】本発明の電気掃除機の実施の形態３における充電台の全体斜視図
【図８】本発明の電気掃除機の実施の形態３における充電台の縦断面図
【発明を実施するための形態】
【００１４】
第１の発明は、吸引風を発生させる電動送風機と、吸引風によって吸引された塵埃を捕集する集塵部と、を有する掃除機本体と、掃除機本体内に配置された蓄電池と、掃除機本体内に配置されており、電動送風機の入力を制御する制御回路と、掃除機本体とは別体に設けられており、蓄電池を充電する充電回路を内蔵する充電台と、を備え、充電台には、
商用電源に接続される電源コードと、掃除機本体に接続され、電源コードによって導かれた商用電源を掃除機本体に供給する接続コードと、を有するコードリールユニットが内蔵されており、接続コードが掃除機本体に接続された場合には、電動送風機及び制御回路に商用電源が供給されるとともに、接続コードが掃除機本体に接続されていない場合には、電動送風機及び制御回路に蓄電池の直流電源が供給される電気掃除機としたものである。
【００１５】
これにより、商用電源を使用して電気掃除機を動作させる場合、及び、蓄電池を使用して電気掃除機を動作させる場合の何れの場合であっても掃除機本体の重さを軽量化できるとともに、電気掃除機の電源を容易に切り替えることができ、電気掃除機の使い勝手を向上させることができる。
【００１６】
第２の発明は、特に、第１の発明において、掃除機本体には、蓄電池と電気的に接続される充電入力端子が設けられており、充電台には、充電回路と電気的に接続される充電出力端子が設けられており、蓄電池は、充電入力端子と充電出力端子とが接続されることで充電されるように構成されており、充電台には、充電入力端子と充電出力端子とが接続された場合には、電源コードによって導かれた商用電源を充電回路に供給するとともに、掃除機本体と接続コードとが接続された場合には、電源コードによって導かれた商用電源を接続コードに供給する切替回路が内蔵されている構成としたものである。
【００１７】
これにより、充電入力端子と充電出力端子とを接続するだけで蓄電池を充電することができるため、簡単な操作で蓄電池を充電することができ、電気掃除機の使い勝手を向上させることができる。また、切替回路が、充電入力端子と充電出力端子との接続、及び、掃除機本体と接続コードとの接続を検知して、電源コードによって導かれた商用電源の供給先を自動的に切り替えるため、充電入力端子と充電出力端子とを接続するだけで蓄電池を充電できるとともに、掃除機本体と接続コードとを接続するだけで商用電源を使用して電気掃除機を動作させることができ、電気掃除機の使い勝手を向上させることができる。
【００１８】
第３の発明は、特に、第１または第２の発明において、コードリールユニットは、充電台に着脱自在に配置されている構成としたものである。
【００１９】
これにより、使用者が充電台から離れた場所で商用電源を使用して掃除を行う場合においても、使用者は充電台からコードリールユニットを取り外し、コードリールユニットだけを移動させることで、充電台から離れた場所でも商用電源を使用して電気掃除機を動作させることができ、電気掃除機の使い勝手を向上させることができる。
【００２０】
第４の発明は、特に、第１〜第３の発明において、充電台には、持ち運び用の把手部が設けられている構成としたものである。これにより、充電台を容易に移動させることができる。
【００２１】
第５の発明は、特に、第１〜４の発明において、充電台の底面には、移動用のキャスターが設けられている構成としたものである。これにより、使用者が商用電源を使用して電気掃除機を動作させた際に、充電台を容易に移動させることができるとともに、充電台が移動した際に床面が傷つくことを防止することができる。
【００２２】
第６の発明は、特に、第１〜５の発明において、充電台の底面には、充電台を被清掃面に固定する吸盤が設けられている構成としたものである。これにより、充電台を床面等の被清掃面に固定することができ、電源コードと商用電源の接続、及び、掃除機本体と接続コードとの接続を容易に行うことができる。
【００２３】
以下、図面を参照しながら本発明の電気掃除機の好適な実施の形態について詳細に説明
する。なお、以下の説明では、同一または相当部分には同一符号付し、重複する説明は省略する。
【００２４】
（実施の形態１）
本発明の電気掃除機の実施の形態１について、図１〜図５を用いて説明する。
【００２５】
図１は、本発明の電気掃除機の実施の形態１を示す全体斜視図である。また、図２は、本発明の電気掃除機の実施の形態１における掃除機本体の断面図である。さらに、図３は、本発明の電気掃除機の実施の形態１における掃除機本体の後部部分断面図である。また、図４は、本発明の電気掃除機の実施の形態１における充電台の全体斜視図である。さらに、図５は、本発明の電気掃除機の実施の形態１における充電台の縦断面図である。
【００２６】
図１に示すように、電気掃除機１００は、吸引風を発生させる電動送風機を内蔵する掃除機本体１と、被清掃面の塵埃を吸引する吸込具２と、一端が吸込具２に着脱自在に接続される伸縮自在または継ぎ自在の延長管３と、一端が延長管３の他端に着脱自在に接続され、他端が掃除機本体１に設けられた吸気口１ａに着脱自在に接続されるホース４と、から構成されている。
【００２７】
掃除機本体１の後部の両側面には、走行用の車輪５が掃除機本体１に回動自在に取り付けられている。また、掃除機本体１の前方の底面には、同じく走行用の本体キャスター６が掃除機本体１に回動自在に取り付けられている。さらに、掃除機本体１の上部には、使用者が掃除機本体１を持ち運ぶ際に使用する本体ハンドル７が設けられている。
【００２８】
ホース４の延長管３側の端部には、掃除の際に使用者が保持する取手部８を備えた先端パイプ９が設けられており、この先端パイプ９を介して延長管３とホース４とが着脱自在に接続されている。また、取手部８には、使用者が電気掃除機１００の各種の運転モード（例えば強・標準・弱・停止等の吸込み力）を選択する操作部１０が設けられている。さらに、ホース４の掃除機本体１側の端部には、接続パイプ１１が設けられており、この接続パイプ１１を介して掃除機本体１の吸気口１ａとホース４とが着脱自在に接続されている。
【００２９】
図２に示すように、掃除機本体１の後部には、吸引風を発生する電動送風機１２を内蔵する電動送風機室１３が配置されている。また、掃除機本体１の前部には、電動送風機１２で発生された吸引風によって吸引された塵埃を捕集する集塵袋１４を内蔵する集塵室１５が配置されている。この集塵室１５の上方には、集塵室１５の上面に形成された開口部（図示せず）を開閉自在に覆う蓋体１６が設けられている。
【００３０】
電動送風機室１３の上部には、使用者が操作部１０を操作して選択した電気掃除機１００の運転モードに基づいて電動送風機１２の入力を制御する制御回路１７が配置されている。また、電動送風機室１３の下部には、後述する充電台２１に内蔵された接続コード２３が掃除機本体１に接続されていない場合に、電動送風機１２及び制御回路１７に直流電源を供給する蓄電池１８が内蔵されている。
【００３１】
図３に示すように、掃除機本体１の後部には、家庭用の商用電源（交流電源）を使用して電気掃除機１００を動作させる際に、後述する充電台２１に内蔵された接続コード２３が接続される接続コード接続部１９が設けられている。接続コード接続部１９は、接続コード２３が嵌合接続される接続凹部１９ａと、接続凹部１９ａに設けられた一対の接続端子１９ｂと、から構成されている。また、掃除機本体１の後部には、蓄電池１８と電気的に接続されているとともに、蓄電池１８を充電する際に、後述する充電台２１に設けられた充電出力端子３４と接続される充電入力端子２０が設けられている。
【００３２】
図４及び図５に示すように、充電台２１の下部には、商用電源に接続される電源コード２２と、使用者が商用電源を使用して電気掃除機１００を動作させる際に掃除機本体１の接続コード接続部１９に接続され、電源コード２２によって導かれた商用電源を掃除機本体１に供給する接続コード２３と、を有するコードリールユニット２４が内蔵されている。また、充電台２１の上部には、蓄電池１８を充電する充電回路２５と、電源コード２２によって導かれた商用電源の供給先を切り替える切替回路２６と、を有する回路基板２７が内蔵されている。
【００３３】
電源コード２２は、商用電源に接続される商用電源接続端子２８を有する商用電源接続プラグ部２９と、商用電源を接続コード２３及び回路基板２７に導く商用電源接続コード部３０と、から構成されている。また、接続コード２３は、掃除機本体１の後部に設けられた雄型の接続端子１９ｂに接続される雌型の掃除機本体接続端子３１を有する掃除機本体接続プラグ部３２と、商用電源接続コード部３０と電気的に接続され、商用電源を掃除機本体接続プラグ部３２へと導く掃除機本体接続コード部３３と、から構成されている。さらに、コードリールユニット２４は、接続コード２３の掃除機本体接続コード部３３を巻き取るように構成されている。
【００３４】
充電台２１の上面には、使用者が蓄電池１８を充電する際に、掃除機本体１の後部に設けられた充電入力端子２０と接続されるとともに、充電回路２５と電気的に接続された充電出力端子３４が設けられている。蓄電池１８は、充電台２１の上面に掃除機本体１が載置され、充電入力端子２０と充電出力端子３４とが接続されることで充電されるように構成されており、充電台２１の上面は、掃除機本体１の後部の形状に沿うように形成されている。
【００３５】
以上のように構成された電気掃除機１００について、以下、その動作、作用を説明する。
【００３６】
まず、使用者が初めて蓄電池１８の直流電源を使用して電気掃除機１００を動作させる場合、使用者は、充電台２１の電源コード２２を商用電源に接続する。そして、掃除機本体１を充電台２１の上面に載置し、充電入力端子２０と充電出力端子３４とを接続し、蓄電池１８を充電する。このとき、切替回路２６は、充電入力端子２０と充電出力端子３４とが接続されたことを検知し、電源コード２２によって導かれた商用電源を充電回路２５に供給するように制御している。
【００３７】
次に、使用者が蓄電池１８の直流電源を使用して電気掃除機１００を動作させ掃除を行う場合、使用者は掃除機本体１を充電台２１から取り外し、操作部１０で電気掃除機１００の運転モードを選択し、電気掃除機１００の運転を開始する。このとき、制御回路１７は、電気掃除機１００の電源として蓄電池１８の直流電源が使用されていることを検知し、電動送風機１２に蓄電池１８の直流電源を供給するように制御する。また、操作部１０及び制御回路１７には蓄電池１８の直流電源が供給されているため、制御回路１７は、使用者により操作部１０で選択された電気掃除機１００の運転モードに基づいて、電動送風機１２の入力を制御することができる。
【００３８】
使用者により電気掃除機１００の運転モードが選択されると、制御回路１７は、使用者によって選択された電気掃除機１００の運転モードに基づいて、電動送風機１２に蓄電池１８の直流電源を供給する。制御回路１７によって電動送風機１２に電源が供給されると、電動送風機１２で吸引風が発生される。この状態で、使用者が吸込具２を移動させて掃除を開始すると、電動送風機１２で発生された吸引風によって被清掃面上の塵埃が吸込具２から吸引される。吸込具２によって吸引された塵埃は、延長管３及びホース４を介して
掃除機本体１内へと流入し、集塵袋１４で捕集される。図２に示すように、塵埃が捕集された後の吸引風は、電動送風機１２の内部を通過し、掃除機本体１の後部に設けられた排気口（図示せず）から掃除機本体１の外部へと排気される。
【００３９】
次に、使用者が商用電源を使用して電気掃除機１００を動作させて掃除を行う場合、使用者は、充電台２１の電源コード２２が商用電源に接続された状態で接続コード２３を引き出し、接続コード２３の掃除機本体接続プラグ部３２に設けられた掃除機本体接続端子３１を掃除機本体１の後部に設けられた接続コード接続部１９の接続端子１９ｂに接続する。このとき、切替回路２６は、掃除機本体接続端子３１と接続端子１９ｂとが接続されたことを検知し、電源コード２２によって導かれた商用電源を接続コード２３に供給するように制御している。また、制御回路１７は、電気掃除機１００の電源として商用電源が使用されていることを検知し、電動送風機１２に商用電源を供給するように制御する。さらに、操作部１０及び制御回路１７には商用電源が供給されているため、制御回路１７は、使用者により操作部１０で選択された電気掃除機１００の運転モードに基づいて、電動送風機１２の入力を制御することができる。
【００４０】
この状態で、使用者により電気掃除機１００の運転モードが選択されると、制御回路１７は、使用者によって選択された電気掃除機１００の運転モードに基づいて、電動送風機１２に商用電源を供給する。制御回路１７によって電動送風機１２に電源が供給されると、電動送風機１２で吸引風が発生される。この状態で、使用者が吸込具２を移動させて掃除を開始すると、電動送風機１２で発生された吸引風によって被清掃面上の塵埃が吸込具２から吸引される。吸込具２によって吸引された塵埃は、延長管３及びホース４を介して掃除機本体１内へと流入し、集塵袋１４で捕集される。図２に示すように、塵埃が捕集された後の吸引風は、電動送風機１２の内部を通過し、掃除機本体１の後部に設けられた排気口（図示せず）から掃除機本体１の外部へと排気される。
【００４１】
次に、使用者が商用電源を使用して電気掃除機１００を動作させて掃除を行っている際に、充電台２１から離れた場所、すなわち、接続コード２３を全て引き出しても吸込具２が届かない場所を掃除する場合、使用者は、接続コード２３の掃除機本体接続プラグ部３２を掃除機本体１の接続コード接続部１９から取り外すことで、電気掃除機１００の電源を商用電源から蓄電池１８の直流電源へと切り替えることができる。
【００４２】
すなわち、使用者により接続コード２３の掃除機本体接続プラグ部３２が掃除機本体１の接続コード接続部１９から取り外されると、制御回路１７は、使用者により電気掃除機１００の電源が商用電源から蓄電池１８の直流電源へと切り替えられたことを検知し、電動送風機１２に蓄電池１８の直流電源を供給するように制御する。この状態で、使用者により電気掃除機１００の運転モードが選択されると、制御回路１７は、使用者によって選択された電気掃除機１００の運転モードに基づいて、電動送風機１２に蓄電池１８の直流電源を供給する。制御回路１７によって電動送風機１２に電源が供給されると、電動送風機１２で吸引風が発生され、被清掃面の塵埃が吸込具２、延長管３、及びホース４を介して掃除機本体１内へと流入し、集塵袋１４で捕集される。
【００４３】
以上のように、本実施の形態においては、商用電源を使用して電気掃除機１００を動作させる場合、及び、蓄電池１８を使用して電気掃除機１００を動作させる場合の何れの場合であっても、コードリールユニット２４は充電台２１内に配置されているため、掃除機本体１の重さを軽量化できるとともに、掃除機本体１の操作性を向上させることができ、電気掃除機１００の使い勝手を向上させることができる。
【００４４】
また、本実施の形態においては、使用者は、接続コード２３を掃除機本体１に接続するだけで、商用電源を使用して電気掃除機１００を動作させて掃除を行うことができるとと
もに、接続コード２３を掃除機本体１から取り外すだけで、蓄電池１８の直流電源を使用して電気掃除機１００を動作させて掃除を行うことができるため、電気掃除機１００の電源を容易に切り替えることができ、電気掃除機１００の使い勝手を向上させることができる。
【００４５】
さらに、本実施の形態においては、充電台２１に掃除機本体１を載置し、充電入力端子２０と充電出力端子３４とを接続するだけで、蓄電池１８を充電することができるとともに、充電台２１から掃除機本体１を取り外すだけで、蓄電池１８の直流電源を使用して電気掃除機１００を動作させることができるため、簡単な操作で蓄電池１８を充電することができるとともに、簡単な操作で蓄電池１８を使用して電気掃除機１００を動作させることができ、電気掃除機１００の使い勝手を向上させることができる。
【００４６】
また、本実施の形態においては、切替回路２６が、充電入力端子２０と充電出力端子３４との接続、及び、掃除機本体１の接続コード接続部１９と接続コード２３の掃除機本体接続プラグ部３２との接続を検知して、電源コード２２によって導かれた商用電源の供給先を自動的に切り替えるため、充電入力端子２０と充電出力端子３４とを接続するだけで蓄電池１８を充電できるとともに、掃除機本体１の接続コード接続部１９と接続コード２３の掃除機本体接続プラグ部３２とを接続するだけで商用電源を使用して電気掃除機１００を動作させることができ、電気掃除機１００の使い勝手を向上させることができる。
【００４７】
（実施の形態２）
本発明の電気掃除機の実施の形態２について、図６を用いて説明する。なお、上述した実施の形態１と同一部分については同一符号を付してその説明を省略する。
【００４８】
図６は、本発明の電気掃除機の実施の形態２における充電台の全体斜視図である。
【００４９】
図６に示すように、充電台２１の上面の後部には、使用者が充電台２１を持ち運ぶ際に保持する把手部３５が設けられている。また、充電台２１の底面には、複数の移動用のキャスター３８（図８参照）が設けられている。
【００５０】
以上のように構成された電気掃除機１００について、以下、その動作、作用を説明する。
【００５１】
使用者が商用電源を使用して電気掃除機１００を動作させて掃除を行う場合、使用者は、充電台２１の電源コード２２が商用電源に接続された状態で接続コード２３を引き出し、接続コード２３の掃除機本体接続プラグ部３２に設けられた掃除機本体接続端子３１を掃除機本体１の後部に設けられた接続コード接続部１９の接続端子１９ｂに接続して掃除を行う。そして、使用者が充電台２１から離れた場所を掃除する場合、使用者は、接続コード２３の掃除機本体接続プラグ部３２を掃除機本体１の接続コード接続部１９から取り外し、電気掃除機１００の電源を商用電源から蓄電池１８の直流電源へと切り替えて掃除を行う。
【００５２】
ここで、一般的に、電気掃除機１００の吸い込み力は、蓄電池１８の直流電源を使用して電気掃除機１００を動作させた場合よりも商用電源を使用して電気掃除機１００を動作させた場合の方が強くなる。そのため、充電台２１から離れた場所を電気掃除機１００の電源として商用電源を使用して掃除する場合には、充電台２１を移動させる必要がある。
【００５３】
そこで、本実施の形態においては、充電台２１に把手部３５を設けている。そのため、使用者が充電台２１から離れた場所を掃除する場合は、把手部３５を保持して充電台２１を移動させ、電源コード２２を商用電源に接続するとともに、接続コード２３を掃除機本
体１に接続することで、商用電源を使用して充電台２１から離れた場所を掃除することができる。
【００５４】
以上のように本実施の形態においては、充電台２１の上面の後部に使用者が充電台２１を持ち運ぶ際に保持する把手部３５を設けているため、充電台２１を容易に持ち運ぶことができる。
【００５５】
また、本実施の形態においては、充電台２１の底面には、複数の移動用のキャスター３８を配置しているため、商用電源を使用して電気掃除機１００を動作させ掃除をしている際に充電台２１が移動した場合であっても、充電台２１を置いている床面を傷つけることがない。
【００５６】
なお、本実施の形態においては、充電台２１の底面に複数の移動用のキャスター３８が設けられている形態について説明したが、充電台２１の底面には充電台２１を床面などの被清掃面に固定する吸盤が設けられていてもよい。これにより、充電台２１を床面等の被清掃面に固定することができ、電源コード２２と商用電源の接続、及び、掃除機本体１と接続コード２３との接続を容易に行うことができる。
【００５７】
（実施の形態３）
本発明の電気掃除機の実施の形態３について、図７及び図８を用いて説明する。なお、上述した実施の形態１及び実施の形態２と同一部分については同一符号を付してその説明を省略する。
【００５８】
図７は、本発明の電気掃除機の実施の形態２における充電台の全体斜視図である。また、図８は、本発明の電気掃除機の実施の形態２における充電台の縦断面図である。
【００５９】
図７及び図８に示すように、充電台２１の下部には、コードリールユニット２４を内蔵するケーシング３６が充電台２１に着脱自在に配置されている。また、ケーシング３６の前部には、充電台２１を移動させる際に使用者が保持する保持部３７が設けられている。さらに、充電台２１の底面には、複数の移動用のキャスター３８が回動自在に配置されている。
【００６０】
以上のように構成されて電気掃除機１００について、以下、その動作、作用を説明する。
【００６１】
使用者が商用電源を使用して電気掃除機１００を動作させて掃除を行う場合、使用者は、充電台２１の電源コード２２が商用電源に接続された状態で接続コード２３を引き出し、接続コード２３を掃除機本体１に接続して掃除を行う。そして、充電台２１から離れた場所を掃除する場合、使用者は、接続コード２３を掃除機本体１から取り外し、電気掃除機１００の電源を商用電源から蓄電池１８の直流電源へと切り替えて掃除を行う。
【００６２】
ここで、一般的に、電気掃除機１００の吸い込み力は、蓄電池１８の直流電源を使用して電気掃除機１００を動作させた場合よりも商用電源を使用して電気掃除機１００を動作させた場合の方が強くなる。そのため、商用電源を使用して充電台２１から離れた場所を掃除する場合には、充電台２１を移動させる必要がある。
【００６３】
そこで、本実施の形態においては、コードリールユニット２４を内蔵するケーシング３６を充電台２１の着脱自在に配置している。そのため、商用電源を使用して充電台２１から離れた場所を掃除する場合においても、使用者は、保持部３７を保持して引っ張り、ケーシング３６を充電台２１から取り外し、ケーシング３６のみを持ち運び、電源コード２
２を商用電源に接続するとともに、接続コード２３を掃除機本体１に接続することで、商用電源を使用して充電台２１から離れた場所を掃除することができる。また、充電台２１にケーシング３６を取り付ける場合は、充電台２１の下部のスペース（図示せず）にケーシング３６を押込むことで、充電台２１にケーシング３６を取り付けることができる。
【００６４】
以上のように、本実施の形態においては、コードリールユニット２４を内蔵するケーシング３６を充電台２１の着脱自在に配置しているため、使用者は、充電台２１からケーシング３６を取り外し、ケーシング３６のみを移動させることで、商用電源を使用して充電台２１から離れた場所を掃除することができ、電気掃除機１００の使い勝手を向上させることができる。
【００６５】
また、本実施の形態においては、充電台２１の底面には、複数の移動用のキャスター３８を配置しているため、商用電源を使用して電気掃除機１００を動作させ掃除をしている際に充電台２１が移動した場合であっても、充電台２１を置いている床面を傷つけることがない。
【００６６】
なお、本実施の形態においては、充電台２１の底面に複数の移動用のキャスター３８が設けられている形態について説明したが、充電台２１の底面には充電台２１を床面などの被清掃面に固定する吸盤が設けられていてもよい。これにより、充電台２１を床面等の被清掃面に固定することができ、電源コード２２と商用電源の接続、及び、掃除機本体１と接続コード２３との接続を容易に行うことができる。
【産業上の利用可能性】
【００６７】
本発明の電気掃除機は、商用電源を使用して電気掃除機を動作させる場合、及び、蓄電池を使用して電気掃除機を動作させる場合の何れの場合であっても掃除機本体の重さを軽量化できるとともに、電気掃除機の電源を容易に切り替えることができ、電気掃除機の使い勝手を向上させることが可能となるので、家庭用電気掃除機及び産業用電気掃除機の分野・用途に好適に適用することができる。
【符号の説明】
【００６８】
１  掃除機本体
１ａ  吸気口
２  吸込具
３  延長管
４  ホース
５  車輪
６  本体キャスター
７  本体ハンドル
８  取手部
９  先端パイプ
１０  操作部
１１  接続パイプ
１２  電動送風機
１３  電動送風機室
１４  集塵袋
１５  集塵室
１６  蓋体
１７  制御回路
１８  蓄電池
１９  接続コード接続部
１９ａ  接続凹部
１９ｂ  接続端子
２０  充電入力端子
２１  充電台
２２  電源コード
２３  接続コード
２４  コードリールユニット
２５  充電回路
２６  切替回路
２７  回路基板
２８  商用電源接続端子
２９  商用電源接続プラグ部
３０  商用電源接続コード部
３１  掃除機本体接続端子
３２  掃除機本体接続プラグ部
３３  掃除機本体接続コード部
３４  充電出力端子
３５  把手部
３６  ケーシング
３７  保持部
３８  キャスター
１００  電気掃除機
【図１】
2012090828.tif 000003
【図２】
2012090828.tif 000004
【図３】
2012090828.tif 000005
【図４】
2012090828.tif 000006
【図５】
2012090828.tif 000007
【図６】
2012090828.tif 000008
【図７】
2012090828.tif 000009
【図８】
2012090828.tif 000010